(57)【要約】【課題】遊技機島の規格にかかわらず遊技機が遊技機島へ取付可能であって、遊技機の入替えが容易であると共に、遊技機の傾斜角度が一台毎に設定可能である取付枠を提供する。【解決手段】遊技機用取付枠１０は、上側係止片２０を固設したアッパプレート１１と、下側係止片２５を固設したロアプレート１２及び両プレートの左右両端の後部を連結する一対のフレーム１３から構成される。遊技機島の上下枠間に両プレートを嵌合して固着具で固定し、両プレート間で遊技機４０をフレーム１３の側面とほぼ面一に収まるように嵌合する。木枠４１裏面の上下端部をそれぞれ上下側係止片に当接し、かつ両プレートに形成した開口部１４，１７から露出する遊技機の上下面を固着具で遊技機島の上下枠に固着し、遊技機を所定傾斜角度で遊技機島に取り付ける。そして、下側係止片の係止部を前後方向に移動させて、遊技機の傾斜角度を調整する。【選択図】図１
2005279254.tif 000002
【特許請求の範囲】
【請求項１】
遊技機を所定角度で前後方向に傾斜するように遊技機島に取り付けるための遊技機用取付枠であって、上側係止片を固設したアッパプレートと、下側係止片を固設したロアプレート及び両プレートを連結する左右一対のフレームを備え、両プレートを遊技機島の上枠と下枠間に嵌合して取付枠用固着具で上枠と下枠に固定し、遊技機を両プレート間に嵌合して遊技機の裏面上端部を上側係止片に当接するとともに遊技機の裏面下端部を下側係止片に当接させ、しかる後に遊技機を遊技機用固着具で遊技機島に固着することにより遊技機を所定傾斜角度で遊技機島に取り付けるように構成したことを特徴とする遊技機用取付枠。
【請求項２】
前記アッパプレートに上側開口部を形成するとともに、前記ロアプレートに下側開口部を形成し、遊技機上面の前記上側開口部から露出する部分を遊技機用固着具で遊技機島の上枠に固着し、遊技機下面の前記下側開口部から露出する部分を遊技機用固着具で遊技機島の下枠に固着するように構成したことを特徴とする請求項１に記載の遊技機用取付枠。
【請求項３】
前記下側係止片を他の下側係止片と交換可能に固設したことを特徴とする請求項１に記載の遊技機用取付枠。
【請求項４】
前記アッパプレートの左右両端の後部と前記ロアプレートの左右両端の後部を前記フレームで連結し、遊技機を両プレート間に嵌合したとき遊技機の側面が前記フレームの側面とほぼ面一に収まるように構成したことを特徴とする請求項１に記載の遊技機用取付枠。
【請求項５】
前記左右両フレームを伸縮可能に構成したことを特徴とする請求項１に記載の遊技機用取付枠。
【請求項６】
前記下側係止片は、ベース部と、該ベース部の前端部を上方に向かって折曲して形成した係止部とからなり、前記ベース部下面と前記ロアプレート上面のうち、一方の面に左右方向に沿って伸びる少なくとも一本の突条を設け、他方の面に左右方向に沿って伸びる複数本の溝を前後方向に沿って所定間隔を空けて並設し、前記突条を前記溝のいずれかへ嵌合して、前後方向に前記下側係止片の固設位置を調整可能にしたことを特徴とする請求項１に記載の遊技機用取付枠。
【請求項７】
前記ロアプレートの目視可能な位置に、目印を設け、前記ベース部の所定箇所と前記ロアプレートの前記目印が一致すると、前記下側係止片が、使用頻度の高い固設位置に配設されるようにしたことを特徴とする請求項６に記載の遊技機用取付枠。
【請求項８】
前記ベース部に、前後方向に沿って伸びる長孔を少なくとも一つ設け、前記ロアプレートに立設固定したボルト等からなる係止片用固着具を前記長孔に遊嵌し、該下側係止片用固着具により前記下側係止片を前記ロアプレートへ着脱可能に固設したことを特徴とする請求項６に記載の遊技機用取付枠。
【請求項９】
前記突条と前記溝は、前後方向の断面形状を逆三角形に形成したことを特徴とする請求項６に記載の遊技機用取付枠。
【発明の詳細な説明】
【技術分野】
【０００１】
本発明は、遊技機島へパチンコ機などの遊技機を取付ける際に、遊技機が所定角度で前後方法に傾斜して固定できる遊技機用取付枠に関する。
【背景技術】
【０００２】
パチンコ機などの遊技機は、遊技機島へ複数台ずつ並べて設置される。従来、パチンコ機を遊技機島へ設置する場合、専門業者によって施工され、パチンコ機台の下端部に板材を挿入し、板材の挿入深さによって盤面が所定角度となるように後方へ傾倒させていた。しかし、パチンコ機の両端の傾斜を一致させて設置するためには、水準器等を用いて一台ごとに測定しながら施工する必要があり、手間がかかるという問題があった。そこで、特許文献１の公報に開示されるパチンコ機取付構造は、遊技機島に形成した島枠内にパチンコ機取付枠を嵌合し、該パチンコ機取付枠内にパチンコ機を嵌合する構成であって、パチンコ機の盤面の傾斜角度は島枠とパチンコ機取付枠の間に設けられた枠体固定部の調整ネジによって決定する手段がとられている。
【特許文献１】実開平５−００９５８６号公報
【発明の開示】
【発明が解決しようとする課題】
【０００３】
しかしながら、上記のパチンコ機取付構造の場合、遊技機島に形成する島枠の縦枠の厚さ分だけ余分なスペースが必要であって、パチンコ機に対応付けられる台間機の設置場所も含めると、遊技機島に設置されるパチンコ機の台数が少なくなる。また、遊技機島の島枠の下枠に凹部を設けて埋込金具を埋設するために、金具の位置が容易に変更できず遊技機島の関東枠と関西枠間で互換することができない。さらに、パチンコ機の盤面の傾斜角度を調整ネジで決定する構造であるため、測定装置を用いてネジの締め込み具合を調整しなければならず、頻繁にパチンコ機を入替えるホールや台数の多いホールにおいては、パチンコ機の取付や盤面の傾斜角度の調整に手間がかかる。
【０００４】
本発明は上記の問題を鑑みてなされたものであって、遊技機島の規格にかかわらず取付けるパチンコ機間の余分なスペースを無くし、パチンコ機の盤面の傾斜角度がパチンコ機毎に容易に設定可能であると共に、パチンコ機の入替えが容易に行なうことができる遊技機用取付枠を提供することを目的とする。
【課題を解決するための手段】
【０００５】
上記目的を達成するため本発明は、遊技機を所定角度で前後方向に傾斜するように遊技機島に取り付けるための遊技機用取付枠であって、上側係止片を固設したアッパプレートと、下側係止片を固設したロアプレート及び両プレートを連結する左右一対のフレームを備え、両プレートを遊技機島の上枠と下枠間に嵌合して固着具で上枠と下枠に固定し、遊技機を両プレート間に嵌合して遊技機の裏面上端部を上側係止片に当接するとともに遊技機の裏面下端部を下側係止片に当接させ、しかる後に遊技機を固着具で遊技機島に固着することにより遊技機を所定傾斜角度で遊技機島に取り付けるように構成したことを特徴とする。
そして、好ましくは、前記アッパプレートに上側開口部を形成するとともに、
前記ロアプレートに下側開口部を形成し、遊技機上面の前記上側開口部から露出する部分を固着具で遊技機島の上枠に固着し、遊技機下面の前記下側開口部から露出する部分を固着具で遊技機島の下枠に固着するように構成する。
そして好ましくは、前記下側係止片を他の下側係止片と交換可能に固設する。
そして好ましくは、前記アッパプレートの左右両端の後部と前記ロアプレートの左右両端の後部を前記フレームで連結し、遊技機を両プレート間に嵌合したとき遊技機の側面が前記フレームの側面とほぼ面一に収まるように構成する。
そして好ましくは、前記両フレームを伸縮可能に構成する。
また好ましくは、前記下側係止片は、ベース部と、該ベース部の前端部を上方に向かって折曲して形成した係止部とからなり、前記ベース部下面と前記ロアプレート上面のうち、一方の面に左右方向に沿って伸びる少なくとも一本の突条を設け、他方の面に左右方向に沿って伸びる複数本の溝を前後方向に沿って所定間隔を空けて並設し、前記突条を前記溝のいずれかへ嵌合して、前後方向に前記下側係止片の固設位置を調整可能にした。
さらに好ましくは、前記ロアプレートの目視可能な位置に、目印を設け、前記ベース部の所定箇所と前記ロアプレートの前記目印が一致すると、前記下側係止片が、使用頻度の高い固設位置に配設される。
加えて好ましくは、前記ベース部に、前後方向に沿って伸びる長孔を少なくとも一つ設け、前記ロアプレートに立設固定したボルト等からなる係止片用固着具を前記長孔に遊嵌し、該下側係止片用固着具により前記下側係止片を前記ロアプレートへ着脱可能に固設した。
そして好ましくは、前記突条と前記溝は、前後方向の断面形状を逆三角形に形成した。
【発明の効果】
【０００６】
本発明の取付枠はフレームで連結したアッパプレートとロアプレートを遊技機島の上枠と下枠間に嵌合して固定し、ついで、両プレート間に遊技機を嵌合して上側係止片と下側係止片に遊技機を当接させ、しかる後に遊技機を遊技機島に固定するだけの簡単な取り付け作業により遊技機が両係止片で設定される所定角度に傾斜させることができる。そして、遊技機を交換する場合、取付枠は遊技機島に固定したまま、遊技機だけを取り外して新しい遊技機をはめ込めば、所定角度に傾斜させて取り付けることができ、交換作業が迅速に行える。
そして、アッパプレートとロアプレートに開口部を形成しておき、この開口部から露出する遊技機の上面及び下面を釘、ビス等の固着具で遊技機島に固定することで、遊技機の島への固定構造が簡素になり、固定作業が容易になる。
また、下側係止片を交換することにより、異なる所定角度に傾斜させることが可能となる。
さらに、前記アッパプレートの左右両端の後部と前記ロアプレートの左右両端の後部をフレームで連結し、遊技機を両プレート間に嵌合したとき遊技機の側面が前記フレームの側面とほぼ面一に収まるように構成することにより、遊技機の設置スペースを節約できる。
また、フレームを伸縮可能にすることで、高さの異なる遊技機にも適用可能となり、さらにはフレームを収縮させて取付枠を保管することで、保管スペースの節約も可能となる。
また、下側係止片のベース部下面とロアプレート上面のうち、一方の面に少なくとも一本の突条を設け、他方の面に左右方向に沿って複数本の溝を前後方向に沿って所定間隔で並設し、前記溝のいずれかに前記突条が嵌合するようにした。そのため、ロアプレート上の下側係止片の固設位置が容易に決定でき、遊技機の傾斜角度が設定し易い。
そして、下側係止片のベース部とロアプレートとに、それぞれ目印を設け、該両目印が一致すると遊技機の一般的な傾斜角度へ設定されるように、下側係止片が所定の固設位置に配設されるようにした。そのため、複数の遊技機を同一な角度へすばやく設定することができる。
さらに、下側係止片のベース部に前後方向に伸びる長孔を設け、該長孔に係止片用固着具を遊嵌し、下側係止片を前後方向に移動できるようにして、着脱可能に固設されるようにした。そのため、下側係止片を交換せずに遊技機の傾斜角度を調整することができ、かつ下側係止片の部材数を減らすことができる。
加えて、突条と溝の前後方向に沿った断面形状を逆三角形に形成した。そのため、突条と溝を嵌合すると、突条の三角形の頂部が溝の三角形の斜面に沿って進入して、溝の谷部中心に合致するので、下側係止片はロアプレート上の所定の固設位置でズレることなく配設される。
【発明を実施するための最良の形態】
【０００７】
実施される本発明は、上側係止片を固設するとともに上側開口部を形成したアッパプレートと、下側係止片を固設するとともに下側開口部を形成したロアプレート及び両プレートを連結する左右一対のフレームから構成される遊技機用取付枠であって、遊技機島の上下枠間に両プレートを嵌合して固着具で上下枠間に固定し、両プレート間に遊技機を嵌合して前記上下側開口部で露出する遊技機の上下面を固着具で遊技機島の上下枠にそれぞれ固着すると共に、遊技機の裏面の上下端部をそれぞれ上下係止片に当接して遊技機を所定傾斜角度で遊技機島に取り付ける。
そして、前記アッパプレートの左右両端の後部と前記ロアプレートの左右両端の後部を前記フレームで連結し、遊技機を両プレート間に嵌合すると、遊技機の側面は前記フレームの側面とほぼ面一に収まる。
また、前記下側係止片を交換したり或いはスライドさせることによって、該下側係止片のベース部から上方へ折曲される係止部が前後方向に移動し、取付枠に嵌合されて上下両係止片に当接する遊技機は所定の傾斜角度で保持される。
【実施例１】
【０００８】
本発明の実施例１に係る遊技機用取付枠を図１に基づき説明する。当該取付枠１０はアッパプレート１１とロアプレート１２及び両プレートを連結する断面Ｌ字形のフレーム１３を備えている。アッパプレート１１の左右両端の後端に上側係止片２０が固着されている。アッパプレート１１の中央部後端側に長方形の開口部１４が形成され、左右両端部に各２個のネジ穴１５と２個の通孔１６が形成されている。図２に示すように、上側係止片２０はベース部２１とベース部２１の一端から直角に折れ曲がった係止部２２からなり、ベース部２１に２個の通孔２３が形成されている。上側係止片２０はボルト３０をベース部２１の通孔２３に挿通し、アッパプレート１１の下面からこのネジ穴１５にボルト３０をネジ込んで固着され、係止部２２が下方に突出している。
【０００９】
ロアプレート１２の左右両端部に断面Ｌ字形の下側係止片２５が固着されている。また、ロアプレート１２には左右２箇所に円形の開口部１７が形成され、左右両端部に各４個の通孔１８と各３個のネジ穴１９が形成されている。図３に示すように下側係止片２５はベース部２６とベース部２６の一端から直角に折れ曲がる係止部２７からなり、ベース部２６にロアプレート１２のネジ穴１９に対応する３個の通孔２８が形成されている。３個の通孔２８は２等辺三角形の各頂点に位置するように配置されている。各ネジ穴１９にはロアプレート１２の裏側からビス３１がねじ込まれ、上方に突出している。下側係止片は各通孔２８にビス３１の突出端部を挿通し、うち１本のビス３１に蝶ネジ３２を締め付けることにより着脱可能に固着され、係止部２７が上方に突出している。
【００１０】
本実施例に係る取付枠では図４に示すように、５種類の下側係止片２５ａ，２５ｂ，２５ｃ，２５ｄ，２５ｅが用意されている。各下側係止片２５のベース部２６の寸法、形状及び係止部２７の寸法、形状は同一に設定されているが、３個の通孔２８で形成される三角形の位置が異なる。三角形の配置が係止部２７に最も近接する位置に設けられている１番目の係止片２５ａは盤面傾斜角度を３分に設定するときに用いられる。２番目の係止片２５ｂは盤面傾斜角度を３分５厘、３番目の係止片２５ｃは４分、４番目の係止片２５ｄは４分５厘、三角形の配置が係止部２７から最も離れている５番目の係止片２５ｅは５分に設定するときに用いられる。
【００１１】
アッパプレート１１とロアプレート１２を連結するフレーム１３の上下両端部は各プレートの左右両端の後部に溶接して固着されている。そして、両フレーム１３の間隔はパチンコ機４０を両プレート間に嵌合したときパチンコ機４０の側面がフレーム１３の側面とほぼ面一に収まるように設定されている。
【００１２】
本実施例に係る遊技機用取付枠１０の構造は以上の通りであって、次ぎに図５及び図６に基づきその使用方法を説明する。遊技機島５０にパチンコ機４０を所定の傾斜角度、例えば３分５厘の傾斜角度で取り付けるには、３分５厘用の下側係止片２５ｂをロアプレート１２に取り付けた取付枠１０を遊技機島の上枠５１と下枠５２間に嵌合し、釘５３をアッパプレート１１とロアプレート１２の通孔１６，１８を通して上枠５１と下枠５２に打ち付け、取付枠１０を遊技機島５０の所定位置に固定する。
【００１３】
次ぎに、パチンコ機４０の木枠４１を取付枠１０のアッパプレート１１とロアプレート間１２に嵌合し、パチンコ機４０の木枠４１の裏面上端部４１ａを上側係止片２０の係止部２２に当接させ、パチンコ機４０の木枠４１の裏面下端部４１ｂを下側係止片２５ｂの係止部２７に当接させる。これによりパチンコ機４０の木枠４１が傾斜角度θが３分５厘に設定されるので、続いて釘５４を木枠４１の内側からアッパプレート１１の開口部１４とロアプレート１２の開口部１７を通して遊技機島の上枠５１と下枠５２に打ち込んで、パチンコ機４０の木枠４１を遊技機島５０に固定する。そして、木枠４１に遊技機４０の盤面４２を取り付ける。
パチンコ機４０の傾斜角度θを３分あるいは４分等の他の傾斜角度θに設定するには蝶ネジ３２を外して下側係止片２５を交換する。
【００１４】
本実施例に係る遊技機用取付枠１０の使用方法は以上の通りであって、取付枠１０を遊技機島５０の上枠５１と下枠５２間に嵌合して固定し、ついで、取付枠１０の両プレート間にパチンコ機４０の木枠４１を嵌合して上側係止片２０と下側係止片２５に当接させ、遊技機島５０の上枠５１と下枠５２に固定するだけの簡単な取り付け作業によりパチンコ機４０を両係止片２０，２５で設定される所定角度に傾斜させることができる。
また、下側係止片２５を交換することにより、異なる所定角度に傾斜させることが可能となる。
さらに、アッパプレート１１の左右両端の後部と前記ロアプレート１２の左右両端の後部をフレーム１３で連結し、パチンコ機４０を両プレート間に嵌合したときパチンコ機４０の側面が前記フレーム１３の側面とほぼ面一に収まるように構成したので、パチンコ機４０の設置スペースを節約できる。
【実施例２】
【００１５】
本発明の実施例２に係る遊技機用取付枠６０を図７に示す。当該取付枠６０はアッパプレート６１とロアプレート６２及び両プレートを連結する左右一対の角柱形フレーム６３を備え、両プレート６１，６２とフレーム６３はいずれもアルミニウム等の非鉄金属製の押し出し成型品が使われている。
【００１６】
アッパプレート６１は図８に示すように、上側係止片７０がアッパプレート６１に一体成形され、アッパプレート６１から下方に突出している。アッパプレート６１にはこの上側係止片７０と平行に下方折曲部６５が一体成形され、上側係止片７０と下方折曲部６５の間に角柱形のフレーム６３が溶接して固着され、下方折曲部６５に上側ロック金具７１が固定されている。この上側ロック金具７１はパチンコ機４０の木枠４１を取付枠６０に固定するためのもので、上側ベースブラケット７２と、上側ベースブラケット７２にピン７４で回動可能に連結した上側ロックプレート７３から構成され、上側ベースブラケット７２が下方折曲部６５にビスで固定されている。上側ロックプレート７３には通孔７１ａが形成されている。
【００１７】
フレーム６３はアウターフレーム６３ａとインナーフレーム６３ｂから成り、インナーフレーム６３ｂがアウターフレーム６３ａに進退可能に挿入され、上端部がアッパプレート６１に溶接され、アウターフレーム６３ａの下端部がロアプレート６２に溶接されている。
【００１８】
図９に示すロアプレート６２には実施例１と略同形状の下側係止片２５が蝶ネジ３２で着脱可能に固設されるとともに、上側ロック金具７１と略同構造の下側ロック金具７５が取り付けられている。下側ロック金具７５の下側ベースブラケット７６はロアプレート６２にビスで固定されており、下側ロック金具７５の下側ロックプレート７７はピン７８でベースブラケット７６に回動可能に連結されている。
【００１９】
本実施例に係る取付枠６０によれば、フレーム６３を伸ばして取付枠６０を遊技機島の上下両枠にはめ込み、アッパプレート６１とロアプレート６２をそれぞれ上枠と下枠に固定した後、パチンコ機４０の木枠４１を取付枠６０に嵌合して上下の係止片７０，２５に当接することで所定角度に傾斜させる。そして、ロック金具のロックプレート７３，７７を回動して木枠４１に被せ、上下の通孔７１ａ，７５ａに釘を打ち付けて木枠４１を取付枠６０に固定できる。取付枠６０を保管或いは移送するときにはフレーム６３を縮めておく。
【実施例３】
【００２０】
本発明の実施例３に係る遊技機用取付枠８０を図１０に示す。当該取付枠８０はアッパプレート８１とロアプレート８２及び両プレート８１，８２を連結する左右一対の角柱形フレーム８３からなる。
【００２１】
アッパプレート８１の上手側の部分拡大図を図１１に示す。アッパープレート８１と一体成形して形成される上側係止片８４は該プレート８１端部の所定位置で下方に突出させ、該プレート８１中央部後方は所定面積に切除して上側開口部８５を形成し、上側係止片８４の前方に複数個の固着孔８６を設け、後端角部にネジ孔８７を設ける。上側係止片８４は硬質ゴム等からなるＵ字形のパッキングで被覆する。
【００２２】
ロアプレート８２の下手側の部分拡大図を図１２に示す。ロアプレート８２端部の所定位置に左右方向に沿って伸びる断面形状が逆三角形の溝８８ａ，８８ｂ，８８ｃ，８８ｄ，８８ｅ，８８ｆを前後方向に連接して形成する。溝８８ａ，８８ｂ，８８ｃ，８８ｄ，８８ｅ，８８ｆは隣り合う溝の中心の間隔が５厘毎で並設され、溝８８ａから溝８８ｆの前後方向の横断面が鋸刃状になるように設けられている。さらに、溝８８ｆの後方の所定位置には目印線９０を溝８８ｆに沿って引き、溝８８ａの前方の所定位置には通孔９１を設け、ロアプレート８２の後端角部にネジ孔９２を設ける。ロアプレート８２中央部後方は所定面積に切除した下側開口部９３ａと、ロアプレート８２の左右所定位置に所定面積に切り抜いた下側開口部９３ｂを形成し、下側開口部９３ｂを挟むように複数個の固着孔９４が設けられる。
【００２３】
下側係止片８９はベース部９５とベース部９５の前端面から垂直に立ち上がる係止部９６とからなり、ベース部９５下面に左右方向に沿って伸びる断面形状が逆三角形の突条９７ａ，９７ｂが前後方向に２本連接して形成され、ベース部９５中央部の所定位置には前後方向に伸びる長孔９８が設けられ、ベース部９５の後端面は突条９７ａ，９７ｂに平行で直線状に形成する。そして、下側係止片８９は突条９７ａ，９７ｂを溝８８ａから溝８８ｅのいずれかに嵌合して固設位置を決定し、下側係止片８９の長孔９８とロアプレート８２の通孔９１を重ね合わせて下側係止片固着ビス３１をロアプレートの通孔９１から挿通して立設固定し、下側係止片８９の長孔９８に下側係止片固着ビス３１を遊嵌して、蝶ネジ３２を下側係止片固着ビス３１へ螺合し、下側係止片８９をロアプレート８２へ固設する。
【００２４】
フレーム８３は、金属製等からなる中空の棒材を角柱状に形成してなり、アッパープレート８１のネジ孔８７とロアプレート８２に設けたネジ孔９２とに重なるようにネジ孔が設けられ、位置を合わせて、アッパープレート８１とロアプレート８２とをフレーム８３の上下端部へ連結して、遊技機用取付枠８０を構成する。
【００２５】
実施例３に係る遊技機用取付枠８０の構成は以上であって、次に遊技機用取付枠８０の使用方法を説明する。
まず、図１０に示すようにパチンコ機４０は、実施例１及び２と同様にアッパプレート８１とロアプレート８２との間に木枠４１を嵌合し、木枠裏面を上側係止片８４と下側係止片８９に当接させてパチンコ機４０を傾斜させる。そして、木枠４１の上枠は上側開口部８５を介し、木枠４１の下枠は下側開口部９３ａ若しくは９３ｂを介して、図６で示した実施例１と同様に遊技機島に釘等の固着具によって固定される。
【００２６】
図１２に示した、ロアプレート８２上の目印線９０は、下側係止片８９のベース部９５の後端面と一致すると、パチンコ機４０の傾斜角度θのうち、最も使用頻度の高い４分５厘の角度に設定されるように設ける。
【００２７】
まず、使用頻度が高い４分５厘の傾斜角度で後方へ傾斜するように、下側係止片８９のベース部９５後端が目印線９０にあるときを図１３に示す。このとき突条９７ａと溝８８ｂ、突条９７ｂと溝８８ｃが嵌合する。
次に、蝶ネジ３２を緩め、下側係止片８９のベース部後端が目印線９０よりも前方に一段階、すなわち溝８８ａと溝８８ｂの間隔分だけ下側係止片８９を前方へ移動させた図を図１４に示す。このとき突条９７ａと溝８８ａ、突条９７ｂと溝８８ｂが嵌合し、パチンコ機は５分の傾斜角度で後方へ傾斜する。
そして、下側係止片が図１３に示した位置よりも後方へ移動した図を図１５、図１６及び図１７に示す。このとき、突条９７ａ，９７ｂは溝８８ｃと８８ｄ、次に溝８８ｄと８８ｅ、そして溝８８ｅと８８ｆ、と順次嵌合し、パチンコ機の傾斜角度θは、図１５の場合は４分、図１６の場合は３分５厘、図１７の場合は３分となり、パチンコ機４０は次第に起き上がる。
【００２８】
実施例３によれば、突条９７ａ，９７ｂと溝８８ａから溝８８ｆはそれぞれ断面形状を逆三角形の突条と溝とに形成した。そのため、突条と溝を嵌合すると、突条の三角形の頂部が溝の三角形の斜面に沿って進入して溝の谷中心に合致するので、下側係止片８９はロアプレート８２上の所定の固設位置へズレることなく配設される。
また、ロアプレート８２上に目印線９０を設け、本実施例においては下側係止片８９のベース部９５の後端面を所定の箇所として、目印線９０と該後端面とが一致すると、使用頻度の高い下側係止片８９の固設位置が設定できるようにした。そのため、特殊な工具を用いずにパチンコ機の傾斜角度を容易に設定することができる。
さらに、下側係止片８９は同一なサイズで形成されるので製作工程が省け、かつ部材の節約になる。
【図面の簡単な説明】
【００２９】
【図１】本発明の実施例１に係る遊技機用取付枠を示す斜視図である。
【図２】本発明の実施例１に係る遊技機用取付枠のアッパプレート上手側を裏側から見た部分拡大図である。
【図３】本発明の実施例１に係る遊技機用取付枠のロアプレート下手側を裏側から見た部分拡大図である。
【図４】本発明の実施例１に係る遊技機用取付枠の下側係止片の通孔が穿設される位置が異なることを示す説明図である。
【図５】本発明の実施例１に係る遊技機用取付枠が遊技機島へ取付けられた状態を示す側面図である。
【図６】本発明の実施例１に係る遊技機用取付枠が遊技機島へ取付けられた状態を示す全体斜視図である。
【図７】本発明の実施例２に係る遊技機用取付枠を示す斜視図である。
【図８】本発明の実施例２に係る遊技機用取付枠のアッパプレート下手側を裏側から見た部分拡大図である。
【図９】本発明の実施例２に係る遊技機用取付枠のロアプレート上手側を表側から見た部分拡大図である。
【図１０】本発明の実施例３に係る遊技機用取付枠を示す斜視図である。
【図１１】本発明の実施例３に係る遊技機用取付枠のアッパプレート上手側を裏側から見た部分拡大図である。
【図１２】本発明の実施例３に係る遊技機用取付枠のロアプレート下手側を裏側から見た部分拡大図である。
【図１３】本発明の実施例３に係る遊技機用取付枠の下側係止片後端面がロアプレート上の目印と一致している部分拡大図である。
【図１４】本発明の実施例３に係る遊技機用取付枠の下側係止片後端面が図１３に示した位置よりも前方に配置されている部分拡大図である。
【図１５】本発明の実施例３に係る遊技機用取付枠の下側係止片後端面が図１３に示した位置よりも一段階後方に配置されている部分拡大図である。
【図１６】本発明の実施例３に係る遊技機用取付枠の下側係止片後端面が図１３に示した位置よりも二段階後方に配置されている部分拡大図である。
【図１７】本発明の実施例３に係る遊技機用取付枠の下側係止片後端面が図１３に示した位置よりも三段階後方に配置されている部分拡大図である。
【符号の説明】
【００３０】
１０…遊技機用取付枠、１１…アッパプレート、１２…ロアプレート、１３…フレーム、１４…上側開口部、１５…アッパプレートのネジ孔、１６…アッパプレートの通孔、１７…下側開口部、１８…ロアプレートの通孔、１９…ロアプレートのネジ孔。
２０…上側係止片、２１…上側係止片のベース部、２２…上側係止片の係止部、２３…上側係止片の通孔。
２５…下側係止片、２６…下側係止片のベース部、２７…下側係止片の係止部、２８…下側係止片の通孔。
３０…上側係止片固定ボルト、３１…下側係止片固着ビス、３２…蝶ネジ。
４０…パチンコ機、４１…パチンコ機の木枠、４２…パチンコ機の盤面。
５０…遊技機島、５１…遊技機島上枠、５２…遊技機島下枠、５３…遊技機用取付枠固定釘、５４…遊技機固定釘。
６０…実施例２に係る遊技機用取付枠、６１…アッパプレート、６２…ロアプレート、６３…角柱形フレーム、６３ａ…アウターフレーム、６３ｂ…インナーフレーム、６４…上側開口部、６５…下方折曲部、６６…アッパプレートの通孔、６７…下側開口部、６８…ロアプレートの通孔、６９…ロアプレートのネジ孔、７０…上側係止片。
７１…上側ロック金具、７１ａ…上側ロック金具通孔、７２…上側ベースブラケット、７３…上側ロックプレート、７４…上側回動ピン、７５…下側ロック金具、７５ａ…下側ロック金具通孔、７６…下側ベースブラケット、７７…下側ロックプレート、７８…下側回動ピン。
８０…実施例３に係る遊技機用取付枠、８１…アッパプレート、８２…ロアプレート、８３…フレーム、８４…上側係止片、８５…上側開口部、８６…固着孔、８７…ネジ孔、８８ａ，８８ｂ，８８ｃ，８８ｄ，８８ｅ，８８ｆ…溝、８９…下側係止片、９０…目印線、９１…通孔、９２…ネジ孔、９３ａ，９３ｂ…下側開口部、９４…固着孔、９５…ベース部、９６…係止部、９７ａ，９７ｂ…突条、９８…長孔、
θ…パチンコ機の傾斜角度。
【図１】
2005279254.tif 000003
【図２】
2005279254.tif 000004
【図３】
2005279254.tif 000005
【図４】
2005279254.tif 000006
【図５】
2005279254.tif 000007
【図６】
2005279254.tif 000008
【図７】
2005279254.tif 000009
【図８】
2005279254.tif 000010
【図９】
2005279254.tif 000011
【図１０】
2005279254.tif 000012
【図１１】
2005279254.tif 000013
【図１２】
2005279254.tif 000014
【図１３】
2005279254.tif 000015
【図１４】
2005279254.tif 000016
【図１５】
2005279254.tif 000017
【図１６】
2005279254.tif 000018
【図１７】
2005279254.tif 000019